(57)【要約】【課題】  必要なメモリ容量を増やさずにリコール可能なパラメータセット数を増やせるようにする。【解決手段】  ダイナミクスのライブラリ画面（その２）４において、コンボボックス３ｄでシーン番号２６を指定すると、シーンメモリに記憶された１ないし複数のシーンデータに含まれるタイプ欄３ｃで指定されたタイプ"Gate"に対応するパラメータセットのリストがリスト欄３ｆに表示される。リスト欄３ｆにおいて選択された入力ｃｈ３（i03: Vo 3）の"Gate"のパラメータセットの特性が第２グラフ欄３ｅに表示される。"Recall"ボタン３ｇをクリックすると、入力ｃｈ３（i03: Vo 3）の"Gate"のパラメータセットで、カレントメモリのカレントデータの中の"Gate"のパラメータセットが上書きされる。【選択図】  図８
2013110585.tif 000002
【特許請求の範囲】
【請求項１】
入力する複数の音響信号に対して、複数の処理ブロックからなる信号処理を施し、信号処理の施された複数の音響信号を出力する音響機器であって、
ディスプレイと、
前記複数の処理ブロックに対応する複数のパラメータセットからなるカレントデータを記憶したカレントメモリと、
該カレントメモリの前記カレントデータに基づいて、前記複数の処理ブロックからなる信号処理を実行する信号処理部と、
前記カレントデータと同じデータ構成のシーンデータが複数記憶されているシーンメモリと、
１のシーンデータを指定してストアの実行が指示されたとき、前記カレントメモリからカレントデータを読み出し、前記シーンメモリの該指定された１のシーンデータに上書きするシーンストア部と、
１のシーンデータを指定してリコールの実行が指示されたとき、前記シーンメモリから該指定された１のシーンデータを読み出し、前記カレントメモリのカレントデータに上書きするシーンリコール部と、
１の処理ブロックを指定してライブラリの表示が指示されたとき、前記ディスプレイに、前記シーンメモリに記憶された１ないし複数のシーンデータに含まれる、該指定された処理ブロックに対応するパラメータセットのリストを含むライブラリ画面を表示するライブラリ表示部と、
該リストの１のパラメータセットを指定してリコールの指示がされたとき、前記シーンメモリから該指定された１のパラメータセットを読み出し、前記カレントメモリのカレントデータの中の、前記指定された処理ブロックに対応するパラメータセットに上書きするシーンライブラリリコール部と、
を備えることを特徴とする音響機器。
【請求項２】
前記ライブラリ表示部に表示されるリストが、ユーザにより設定された条件によって、フィルタリングされたパラメータセットのリストであることを特徴とする請求項１記載の音響機器。
【発明の詳細な説明】
【技術分野】
【０００１】
この発明は、音響機器のシーンメモリのシーンデータのパラメータセットをリスト化して、仮想的なライブラリとして提示することができる音響機器に関する。
【背景技術】
【０００２】
音楽コンテンツのレコーディングやコンサートにおける音声信号の調整等に使用される音響機器として、デジタルミキサが知られている。従来のデジタルミキサにおいては、各入力チャンネルのイコライザ（IEQ）、ダイナミクス（GATE or COMP）、出力チャンネルのイコライザ（OEQ）、ダイナミクス（GATE or COMP）、ミキサシステムのエフェクタ（EFFECT）、グラフィックイコライザ（GEQ）等の複数の機能ブロックを備えている。そして、その同種の機能ブロック毎に、その機能ブロックのパラメータセットを複数セット記憶するライブラリを備えており、ライブラリから所望のパラメータセットを機能ブロック毎にリコールすることができるようにされている。このように、各種機能ブロックのライブラリを有するデジタルミキサが知られている。
【０００３】
また、機能ブロックのパラメータを編集する編集画面に、"Copy"ボタンと"Paste"ボタンとが表示されているデジタルミキサが知られている。このデジタルミキサでは、ある機能ブロックの編集画面で"Copy"ボタンを操作して、カレントメモリのその機能ブロックのパラメータセットをコピーバッファに入れ、その機能ブロックと同種の別の機能ブロックの編集画面で"Paste"ボタンを操作して、そのパラメータセットをカレントメモリの別の機能ブロックのパラメータセットに上書きすることができる。このように、パラメータセットのコピー＆ペースト機能を有するデジタルミキサが知られている。
【先行技術文献】
【非特許文献】
【０００４】
【非特許文献１】ヤマハデジタルミキシングコンソールM7CL 取扱説明書，P.31-37，［online］, ［平成２３年６月１７日検索］，インターネット<http://www2.yamaha.co.jp/manual/pdf/pa/japan/mixers/m7cl_ja_om_e0.pdf>
【発明の概要】
【発明が解決しようとする課題】
【０００５】
従来のデジタルミキサにおいて、機能ブロック毎の多くのパラメータセットからなるライブラリを保存しておくためには、多くの記憶領域が必要になると云う問題点があった。
また、パラメータセットのコピー＆ペースト機能を使用する際に、２つのシーンをまたいで、同種の２つの機能ブロック間でデータセットのコピーをする場合は、コピー元のシーンをリコールし、コピー元の機能ブロックのパラメータセットをコピーバッファに入れ（コピー）、さらに、コピー先のシーンをリコールし、コピー先の機能ブロックのパラメータセットに上書き（ペースト）して、そのシーンをストアしなければならず、操作手順が煩雑になるという問題点があった。この場合、仲介役として、コピーバッファの代わりに、その機能ブロックのライブラリを使用したとしても、手順はほぼ同じで煩雑になってしまう。
【０００６】
そこで、本発明は、必要なメモリ容量を増やさずにリコール可能なパラメータセット数を増やすことができる音響機器を提供することを目的としている。また、本発明は、パラメータセットのコピー＆ペースト機能を簡単な手順で行うことができる音響機器を提供することを目的としている。
【課題を解決するための手段】
【０００７】
上記目的を達成するために、本発明の音響機器は、入力する複数の音響信号に対して、複数の処理ブロックからなる信号処理を施し、信号処理の施された複数の音響信号を出力する音響機器であって、ディスプレイと、前記複数の処理ブロックに対応する複数のパラメータセットからなるカレントデータを記憶したカレントメモリと、該カレントメモリの前記カレントデータに基づいて、前記複数の処理ブロックからなる信号処理を実行する信号処理部と、前記カレントデータと同じデータ構成のシーンデータが複数記憶されているシーンメモリと、１のシーンデータを指定してストアの実行が指示されたとき、前記カレントメモリからカレントデータを読み出し、前記シーンメモリの該指定された１のシーンデータに上書きするシーンストア部と、１のシーンデータを指定してリコールの実行が指示されたとき、前記シーンメモリから該指定された１のシーンデータを読み出し、前記カレントメモリのカレントデータに上書きするシーンリコール部と、１の処理ブロックを指定してライブラリの表示が指示されたとき、前記ディスプレイに、前記シーンメモリに記憶された１ないし複数のシーンデータに含まれる、該指定された処理ブロックに対応するパラメータセットのリストを含むライブラリ画面を表示するライブラリ表示部と、該リストの１のパラメータセットを指定してリコールの指示がされたとき、前記シーンメモリから該指定された１のパラメータセットを読み出し、前記カレントメモリのカレントデータの中の、前記指定された処理ブロックに対応するパラメータセットに上書きするシーンライブラリリコール部とを備えることを最も主要な特徴としている。
【発明の効果】
【０００８】
本発明によれば、１の処理ブロックを指定してライブラリの表示が指示されたときに、シーンメモリに記憶された１ないし複数のシーンデータに含まれる、該指定された処理ブロックに対応するパラメータセットからなるライブラリのリストを表示している。この場合、当該パラメータセットの実体データはシーンデータにあることから、ライブラリに必要なメモリ容量を増やさすことなくリコール可能なパラメータセット数を増やすことができる。また、ライブラリのリストの１のパラメータセットを指定してリコールの指示がされたとき、シーンメモリから該指定された１のパラメータセットを読み出し、カレントメモリのカレントデータの中の、指定された処理ブロックに対応するパラメータセットに上書きしている。これにより、パラメータセットのコピー＆ペースト機能を簡単な手順で行うことができるようになる。
【図面の簡単な説明】
【０００９】
【図１】本発明の音響機器の実施例であるデジタルミキサの回路構成を示す回路ブロック図である。
【図２】本発明の音響機器の実施例であるデジタルミキサのパネルの構成を示す図である。
【図３】本発明の音響機器の実施例であるデジタルミキサにおける信号処理の等価回路を示す回路ブロック図である。
【図４】本発明の音響機器の実施例であるデジタルミキサにおけるチャンネルへのインサーションの様子を示す図である。
【図５】本発明にかかる実施例のデジタルミキサにおけるメモリとライブラリのデータ構造を示す図である。
【図６】本発明にかかる実施例のデジタルミキサに表示されるダイナミクスの編集画面を示す図である。
【図７】本発明にかかる実施例のデジタルミキサに表示されるダイナミクスのライブラリ画面（その１）を示す図である。
【図８】本発明にかかる実施例のデジタルミキサに表示されるダイナミクスのライブラリ画面（その２）を示す図である。
【図９】本発明にかかる実施例のデジタルミキサで実行されるフローチャートで使用される変数の図表である。
【図１０】本発明にかかる実施例のデジタルミキサで実行されるダイナミクスのライブラリ画面を開く指示に応じた処理のフローチャートである。
【図１１】本発明にかかる実施例のデジタルミキサで実行される変数値を変更するユーザ操作に応じた処理のフローチャートである。
【図１２】本発明にかかる実施例のデジタルミキサで実行されるリコールボタンの操作に応じた処理のフローチャートである。
【図１３】本発明にかかる実施例のデジタルミキサで実行されるリコール元に関する表示更新処理のフローチャートである。
【図１４】本発明にかかる実施例のデジタルミキサで実行されるストアボタンの操作に応じた処理のフローチャートである。
【図１５】本発明にかかる実施例のデジタルミキサに表示されるダイナミクスのライブラリ画面（その３）を示す図である。
【発明を実施するための形態】
【００１０】
本発明の音響機器の実施例であるデジタルミキサにかかる回路構成を示す回路ブロック図を図１に示す。
図１に示す本発明の音響機器の実施例であるデジタルミキサ１は、デジタルミキサ１の全体の動作を制御すると共に、パネルに設けられた操作子の操作に応じて制御信号を生成しているＣＰＵ（Central Processing Unit）１０と、ＣＰＵ１０が実行するミキサ関連処理のプログラム等の動作ソフトウェアが格納されている書き換え可能な不揮発性のフラッシュメモリ１１と、ＣＰＵ１０のワークエリアや各種データ等が記憶されるＲＡＭ（Random Access Memory）１２とを備えている。このように、フラッシュメモリ１１に動作ソフトウェアを格納することにより、フラッシュメモリ１１内の動作ソフトウェアを書き換えることで、動作ソフトウェアをバージョンアップすることができる。また、ディジタルレコーダ等のその他の機器は、入出力インタフェースであるその他Ｉ／Ｏ  １３を介してデジタルミキサ１に接続される。
【００１１】
デジタルミキサ１の全ての入力と全ての出力は波形Ｉ／Ｏ（波形データインタフェース）１４により行われる。この波形Ｉ／Ｏ１４は、アナログ信号が入力される複数のＡ入力ポートと、アナログ信号が出力される複数のＡ出力ポートと、外部からディジタル信号を入力すると共に外部へディジタル信号を出力する双方向とされている複数のＤ入力／Ｄ出力ポートとを備えている。また、信号処理部（ＤＳＰ）１５は、音響信号のサンプリング周期毎に複数ステップのマイクロプログラムを実行する１つ以上のＤＳＰ（Digital Signal Processor）を用いて構成されており、ＣＰＵ１０の制御の基で、音響信号に対するミキシング処理やエフェクト処理などを行っている。表示器１６は、音響信号処理にかかる設定画面等を表示する液晶表示装置等からなるディスプレイである。電動フェーダ１７は、入力チャンネルの音響信号あるいは出力チャンネルの音響信号のレベルを調整する音量設定部であり、手動および電動によりレベル調整することができる。操作子１８は、複数チャンネル（以下、「チャンネル」を「ｃｈ」と表す）分設けられているｃｈストリップを入力ｃｈあるいは出力ｃｈに割り当てる割当スイッチ、設定される値を増減する増減キー、設定される値を選択するロータリエンコーダ、設定した値を確定させるエンターキー等からなるパネルに設けられている操作子や、表示器１６に表示された画面上で矢印型のカーソルの位置を制御し、クリック、ドラッグ等の操作を行うことができるマウス等のポインティングデバイスである。各部はバス１９に接続されている。
【００１２】
次に、本発明にかかる実施例のデジタルミキサ１における各種操作子１８が設けられているパネルの構成を図２に示す。
図２において、表示器１６とされるタッチパネル３０の下側には、ｃｈストリップ４０−１，４０−２，４０−３，・・・・が８本と、ステレオ用のＳＴｃｈストリップ４０−９が１本設けられている。８本のｃｈストリップ４０−１，・・・には、そのｃｈストリップに割り当てられたｃｈを選択するＳＥＬスイッチ４１ａと、そのｃｈをオンオフするオンＳＷ４１ｂと、割り当てられたｃｈのレベルを制御する電動フェーダ１７におけるフェーダつまみ４１ｃと、割り当てられたｃｈを検聴するＣＵＥスイッチ４１ｄがそれぞれ設けられている。ＳＴｃｈストリップ４０−９にも同様にＳＥＬスイッチ４１ａ、オンＳＷ４１ｂと、フェーダつまみ４１ｃと、ＣＵＥスイッチ４１ｄが設けられている。なお、ＳＥＬスイッチ４１ａを押すと、押されたＳＥＬスイッチ４１ａのｃｈストリップに割り当てられているｃｈの詳細なパラメータの設定画面がタッチパネル３０に表示されてパラメータの設定ができたり、当該ｃｈをミュートグループ等のグループに属させることができるようになる。
【００１３】
デジタルミキサ１のユーザ（オペレータ）が、パネル右側の中段に設けられている「マスタ１」のボタン３２ａを押すと、８本のｃｈストリップ４０−１，・・・に、ＭＩＸバスの出力とされる出力ｃｈ１ないし出力ｃｈ８が割り当てられる。また、「マスタ２」のボタン３２ｂを押すと、８本のｃｈストリップ４０−１，・・・に、出力ｃｈ９ないし出力ｃｈ１６が割り当てられる。これにより、ボタン３２ａ，３２ｂを切り換えることで、出力ｃｈ１〜ｃｈ１６を８本のｃｈストリップ４０−１，・・・を使用して制御できるようになる。さらに、「マスタ２」の下の「レイヤ１」のボタン３３ａを押すと、８本のｃｈストリップ４０−１，・・・に、入力ｃｈ１ないし入力ｃｈ８が割り当てられる。また、「レイヤ２」のボタン３３ｂを押すと、８本のｃｈストリップ４０−１，・・・に、入力ｃｈ９ないし入力ｃｈ１６が割り当てられる。さらに、「レイヤ３」のボタン３３ｃを押すと、８本のｃｈストリップ４０−１，・・・に、入力ｃｈ１７ないし入力ｃｈ２４が割り当てられる。さらにまた、「レイヤ４」のボタン３３ｄを押すと、８本のｃｈストリップ４０−１，・・・に、入力ｃｈ２５ないし入力ｃｈ３２が割り当てられる。これにより、ボタン３３ａ〜３３ｄを切り換えることで、入力ｃｈ１〜ｃｈ３２を８本のｃｈストリップ４０−１，・・・を使用して制御できるようになる。
【００１４】
このようにして、１６ｃｈの出力ｃｈと、３２ｃｈの入力ｃｈのレベル制御やＣＵＥ設定を、８本のｃｈストリップ４０−１，・・・により８ｃｈずつ制御できるようにしている。すなわち、８本のｃｈストリップ４０−１，・・・は、全入力ｃｈおよび全出力ｃｈに対応して、８ｃｈ毎の入力ｃｈあるいは出力ｃｈを８本のｃｈストリップ４０−１，・・・でそれぞれ制御できるようになる。また、ステレオｃｈのレベル制御やＣＵＥ設定は、ＳＴｃｈストリップ４０−９で制御することができる。
「レイヤ４」のボタン３３ｄの下にタッチパネル３０に表示されるカーソルを上下左右に移動させるカーソル移動キー３４と、種々の設定可能な値を増減する増減キー３５と、種々の設定可能な値を選択できるロータリエンコーダ３６と、増減キー３５やロータリエンコーダ３６により選択された設定値や、カーソルにより選択されたオブジェクトを確定させるエンターキー３７とが設けられている。また、パネルの右側の一番上にオン／オフなどのあらかじめプログラムされた機能を実行するためのＵ１〜Ｕ６の６つのユーザ定義キー（user defined keys）３１が設けられている。ユーザ定義キー３１のＵ１〜Ｕ６には、それぞれ異なる機能をアサインできるようにされており、例えば、ミュートグループのミュートのオン／オフを切り換えるミュートグループマスタボタンをアサインすることにより、ユーザ定義キー３１のＵ１〜Ｕ６を押すことにより、アサインされたミュートグループのオン／オフを切り換えることができるようになる。なお、ミュートグループマスタ（MUTE GROUP MASTER）機能は、ミュートグループに属する全ｃｈのミュートのオン／オフ状態の切り替えを一括して行う機能である。
【００１５】
次に、本発明の実施例にかかるデジタルミキサ１における信号処理の等価回路を示すブロック図を図３に示す。
図３において、複数のアナログ入力ポート（Ａ入力）５０に入力されたアナログ信号は、波形Ｉ／Ｏ１４に内蔵されているＡＤ変換器によりディジタル信号に変換されて入力パッチ５２に入力される。また、複数のディジタル入力ポート（Ｄ入力）５１に入力されたディジタル信号は、そのまま入力パッチ５２に入力される。入力パッチ５２では、信号の入力元である複数の入力ポートのそれぞれを、３２チャンネルとされる複数の入力ｃｈ部５３の各入力チャンネルに選択的にパッチ（結線）することができ、各入力チャンネルには、入力パッチ５２でパッチされた入力ポートからの信号が供給される。
【００１６】
入力ｃｈ部５３における各入力ｃｈには、アッテネータ、イコライザ、コンプレッサ（ダイナミクス）、フェーダ、パン、各バスへの出力をオンオフするセンドＳＷ部、各バスへの出力レベルを調整するセンドレベル調整部等が備えられており、これらの入力ｃｈにおいて、周波数バランスやレベル制御およびＭＩＸバス５４への送出レベルが調整される。入力ｃｈ部５３から出力される３２ｃｈのディジタル信号は、それぞれＭＩＸ１〜１６の１６本のＭＩＸバス５４の１ないし複数に選択的に出力される。ＭＩＸバス５４においては、１６本の各バスにおいて、３２入力ｃｈのうちの任意の入力ｃｈから選択的に入力された１ないし複数のディジタル信号がミキシングされて、合計１６ｃｈのミキシング出力がＭＩＸ出力ｃｈ部５５に出力される。これにより、１６ｃｈのミキシング出力を得ることができる。また、図示されていないステレオバスとステレオ出力ｃｈとを設けて、３２入力ｃｈのうちの任意の入力ｃｈから選択的にステレオバスに入力することにより、１ないし複数のディジタル信号がミキシングされたステレオのミキシング出力をステレオ出力ｃｈに出力するようにしてもよい。
【００１７】
ＭＩＸ出力ｃｈ部５５における各出力ｃｈには、イコライザ、コンプレッサ、フェーダ等が備えられており、これらの出力ｃｈにおいて、周波数バランスやレベル調整および出力パッチ５６へ送出されるレベルが制御される。出力パッチ５６では、信号の入力元であるＭＩＸ出力ｃｈ部５５からの１６ｃｈの出力ｃｈ信号の何れか１つを、アナログ出力ポート部（Ａ出力）５８やディジタル出力ポート部（Ｄ出力）５９の複数の出力ポートに選択的にパッチ（結線）することができ、各出力ポートには、出力パッチ５６でパッチされた出力ｃｈからの信号が供給される。
また、複数のアナログ出力ポートを備えるアナログ出力ポート部（Ａ出力）５８へ供給されたディジタル出力信号は、波形Ｉ／Ｏ１８に内蔵されているＤＡ変換器によりアナログ出力信号に変換されてアナログ出力ポートから出力される。そして、アナログ出力ポート部（Ａ出力）５８から出力されるアナログ出力信号は、増幅されてメインのスピーカから放音される。さらに、このアナログ出力信号は出演者が耳に装着するインイヤーモニタに供給されたり、その出演者の近傍に置かれたステージモニタスピーカで再生される。また、複数のディジタル出力ポートを備えるディジタル出力ポート部（Ｄ出力）５９から出力されるディジタルオーディオ信号は、レコーダや外部接続されたＤＡＴ等に供給されてディジタル録音することができるようにされている。
【００１８】
さらに、デジタルミキサ１には８機分の内蔵エフェクタ部５７が備えられており、何れかのｃｈへの挿入が設定された場合は、そのｃｈの途中のブロックから出力される音響信号が内蔵エフェクタ部５７へ入力され、エフェクト処理が施された音響信号が、同じｃｈのその次のブロックへ入力される。例えば、入力ｃｈ部５３のある入力ｃｈ５３ａへ内蔵エフェクタ部５７の挿入が設定された場合は、入力ｃｈ５３ａの挿入されるポイントの前のブロックから出力される音響信号が仮想的な結線により、出力パッチ５６から内蔵エフェクタ部５７へ供給されてエフェクト処理が施される。エフェクト処理が施された音響信号は、仮想的な結線により入力パッチ５２から入力ｃｈ５３ａの挿入されるポイントの後のブロックへ入力されるようになる。また、ＭＩＸ出力ｃｈ部５５のある出力ｃｈ５５ａへ内蔵エフェクタ部５７の挿入が設定された場合も同様に、出力ｃｈ５５ａの挿入されるポイントの前のブロックから出力される音響信号が仮想的な結線により、出力パッチ５６を介して内蔵エフェクタ部５７へ供給されてエフェクト処理が施される。エフェクト処理が施された音響信号は、仮想的な結線により入力パッチ５２から出力ｃｈ５５ａの挿入されるポイントの後のブロックへ入力されるようになる。
なお、何れのｃｈへの挿入も設定されていない場合には、出力パッチ５６で設定された、任意の１の出力ｃｈからの音響信号が内蔵エフェクタ部５７へ入力され、エフェクト処理が施された音響信号が、入力パッチ５２で設定された、任意の１の入力ｃｈへ出力されるようになる。
【００１９】
このような、デジタルミキサにおけるｃｈへのエフェクタのインサーションの様子を図４に示す。
図４には入力ｃｈおよび出力ｃｈの構成が示されている。この場合、入力ｃｈは縦続接続されたアッテネータ（ＡＴＴ）６０、４バンドパラメトリックイコライザ（ＰＥＱ）６１、コンプレッサ（ＣＯＭＰ）６３、フェーダおよびｃｈオンＳＷ６４、各バスへのセンド調整部６５を備えている。また、出力ｃｈは破線のブロックで示すＡＴＴ６０と各バスへのセンド調整部６５とを除く３つの処理ブロックを備えている。各ｃｈ毎に、エフェクタを挿入するポイントを１箇所選択でき、挿入が設定できるポイントは白抜きの矢印で示すブロックとブロックとの間とされる。例えば、図４に示すようにｃｈの４バンドＰＥＱ６１とＣＯＭＰ６３の間にインサーションが設定され、かつそのインサーションがオンされた場合は、４バンドＰＥＱ６１とＣＯＭＰ６３の間にエフェクタ（内部ＥＦ or 外部ＥＦ）６２が挿入されるようスイッチＳＷが切り換えられた図４に示す結線となる。すなわち、４バンドＰＥＱ６１の出力はエフェクタ６２によりエフェクト処理が施され、スイッチＳＷを介してエフェクタ６２の出力がＣＯＭＰ６３に入力される。なお、この図におけるコンプレッサ（ＣＯＭＰ）６３は、コンプレッサとしての動作だけでなく、ゲート、ダッカー、ディエッサーとしての動作も可能な、後述する図６の編集画面における「ダイナミクス」と同じものである。
【００２０】
本発明の実施例にかかるデジタルミキサ１においては、パネルに設けられているフェーダ、ノブやスイッチ等の操作子により設定されたｃｈ毎の信号処理用のパラメータからなるパラメータセットはＲＡＭ１２上のカレントメモリに格納される。このカレントメモリ上のパラメータセットを、シーンとしてシーンメモリにストアすることができる。シーンメモリは図示していないハードディスク等の大容量記憶媒体の記憶領域や、その他Ｉ／Ｏ１３を介して接続されているＵＳＢメモリやＳＤメモリ等のリムーバブルな外部記憶媒体の記憶領域に確保されている。このシーンメモリのデータ構造を図５（ａ）に示す。この図に示すように、シーンメモリには、シーンの各々にシーン番号が付与されてストアされる。シーンメモリに記憶可能なシーン数は機種により異なるが、例えば１００シーンとされた場合は、図５（ａ）に示すように「シーン１」、「シーン２」、「シーン３」・・・、「シーン１００」としてストアされる。そして、デジタルミキサ１のユーザが、シーン番号を指定してリコール操作することにより、指定されたシーン番号のシーンデータが読み出されてカレントメモリ上のパラメータセットが読み出されたシーンデータにより上書きされ、そのシーンに応じた設定状態がデジタルミキサ１で再現されるようになる。これにより、一度設定した会議室、宴会場、ミニシアターや多目的ホールまでの様々なシーンを再現することができるようになる。
【００２１】
また、カレントメモリのデータ構造を図５（ｂ）に示す。カレントメモリはＲＡＭ１２上に記憶領域が確保されており、カレントメモリにはカレントデータが保存されている。カレントデータは、入力パッチ５２のパラメータセットである入力パッチＰＳ、入力ｃｈ部５３のパラメータセットである入力ｃｈ部ＰＳ、出力ｃｈ部５５のパラメータセットである出力ｃｈ部ＰＳ、出力パッチ５６のパラメータセットである出力パッチＰＳ、内蔵エフェクタ部５７の８機分のエフェクタのパラメータセットであるエフェクタ部ＰＳ、その他のパラメータセットであるその他ＰＳから構成されている。また、入力ｃｈ部ＰＳは、入力ｃｈ１のパラメータセットである入力ｃｈ１ＰＳないし入力ｃｈ３２のパラメータセットである全３２入力ｃｈの各入力ｃｈのパラメータセットから構成されている。図示していないが、出力ｃｈ部ＰＳは全１６出力ｃｈの各出力ｃｈのパラメータセットから構成されている。入力ｃｈのパラメータセットの構成を入力ｃｈ３のパラメータセットである入力ｃｈ３ＰＳを例に挙げて説明する。入力ｃｈ３ＰＳは、ＡＴＴ６０のパラメータセットであるAtt_PS、４バンドＰＥＱ６１のパラメータセットであるEq_PS、ＣＯＭＰ６３のパラメータセットであるComp_PS、フェーダおよびｃｈオンＳＷ６４のパラメータセットであるFader_PS、各バスへのセンド調整部６５のパラメータセットであるSend_PS、チャンネル名等のその他のパラメータセットであるOther_PSから構成されている。このように、入力ｃｈのパラメータセットは入力ｃｈを構成する各処理ブロックのパラメータセットからなり、入力ｃｈ３ＰＳ以外の各入力ｃｈのパラメータセットも同様とされている。さらにまた、出力ｃｈのパラメータセットは出力ｃｈを構成する各処理ブロックのパラメータセットから構成されている。
【００２２】
本発明の実施例にかかるデジタルミキサ１においては、上記した各種パラメータセットの処理ブロック専用のライブラリ（以下、「Indiv.ライブラリ」という）を備えている。例えば、コンプレッサ（ＣＯＭＰ）６３（すなわち、後述するダイナミクス）の専用ライブラリであるComp Individual.（Comp Indiv.）ライブラリのデータ構造を図５（ｃ）に示す。この図に示すComp Indiv.ライブラリには、２０パラメータセット分のＣＯＭＰのパラメータセットが各々に番号が付与されてComp_PS1、Comp_PS2、Comp_PS3、・・・Comp_PS20として格納されている。ＣＯＭＰ６３は、タイプが「コンプレッサ」に設定されたとき、ある一定音量を超えた音を一定の割合で小さくする（圧縮する）、いわゆるコンプレッサの動作を行い、そのパラメータセットには、音を圧縮しはじめる音量を決めるスレッショルド、圧縮する比率を決めるレシオ、音量がスレッショルドに達してから実際に圧縮し始めるまでの時間を決めるアタックタイム、スレッショルドを下回ってから実際に圧縮をやめるまでの時間を決めるリリースタイム、出力する音量を調節するゲイン等のパラメータが含まれている。なお、ＣＯＭＰ６３のパラメータセットのパラメータ構成は、設定されたタイプに応じて変化する。デジタルミキサ１のユーザが、Comp_PSの番号を指定してリコール操作すると、指定されたComp_PSの番号のパラメータセットが読み出されて、カレントメモリ上の選択されたｃｈのＣＯＭＰのパラメータセットが読み出されたパラメータセットにより上書きされ、そのパラメータセットに応じた設定状態が選択されたｃｈのＣＯＭＰで再現されるようになる。また、ユーザがストア操作することより、カレントメモリ上のＣＯＭＰのパラメータセットを、Comp Indiv.ライブラリに所望の番号のComp_PSとしてストアすることができる。
【００２３】
本発明において特徴的な構成は、シーンの各ｃｈにおける各処理ブロックのパラメータセットから所望のタイプの処理ブロック用のパラメータセットを抽出してリスト化した仮想的なライブラリ（以下、「Sceneライブラリ」という）を作成してディスプレイ（表示器１６）に表示することができる構成とされている。例えば、シーンメモリ上のシーンの各ｃｈのパラメータセットからＣＯＭＰの処理ブロック用のパラメータセットを抽出して作成された仮想的なライブラリであるComp Sceneライブラリのデータ構造を図５（ｄ）に示す。Comp Sceneライブラリには、シーンメモリ上のシーンから抽出したＣＯＭＰの処理ブロック用の各パラメータセットであるComp_PS、Comp_PS、Comp_PS・・・から構成されている。これらのComp_PSのデータの実体はシーンメモリ上にありComp Sceneライブラリには存在していない。そして、Comp_PSのいずれかを指定してリコール操作することにより、指定されたComp_PSのパラメータデータが読み出されて、カレントメモリ上の選択されたｃｈのＣＯＭＰのパラメータセットが読み出されたパラメータセットにより上書きされ、そのパラメータセットに応じた設定状態が選択されたｃｈのＣＯＭＰで再現されるようになる。
【００２４】
本発明の実施例にかかるデジタルミキサ１において、オペレータが所定の編集ボタンを操作して、ダイナミクス（ＣＯＭＰ）の編集開始を指示すると、表示器１６には、図６に示されるダイナミクスの編集画面２が表示される。
図６に示すダイナミクスの編集画面２において、上段の幅の狭い横長の欄のほぼ中央に"Library"ボタン２ａが設けられている。この"Library"ボタン２ａをクリックすることにより、後述するダイナミクスのライブラリ画面が表示器１６に表示されるようになる。上段の下の大きな領域において、上部左側には、デジタルミキサ１で現在編集対象として選択されているチャンネルを示す選択ｃｈ欄２ｂが設けられている。編集対象のチャンネルは、ユーザが、複数の各ｃｈストリップ４０のＳＥＬスイッチ４１ａを操作することにより選択することができる。また、この選択ｃｈ欄２ｂをクリック操作することによって表示器１６に表示されるｃｈ一覧の中から選択することもできる。ここでは、チャンネル名が「Vo. 1」（ボーカル１を示す）の入力ｃｈ１（ich01:Vo 1）が、編集対象のチャンネルとしてｃｈ欄２に表示されている。編集画面２のほぼ中央の左側にはダイナミクス系エフェクトのタイプを選択するタイプ欄２ｃが設けられており、図示する例では楽音と共に入力される不要なノイズをカットするためのエフェクトである"Gate"（ノイズゲート）が選択されており、入力ｃｈ１のＣＯＭＰ６３はノイズゲートの動作を行っている。ダイナミクスのエフェクトのタイプには、その他に特定のｃｈの音を大きくして、その他のｃｈを小さくするためのエフェクトである"Duck"（ダッキング）、ある一定音量を超えた音を一定の割合で小さくする（圧縮する）エフェクトである"Comp"（コンプレッサー）」、ボーカルの「サ行」の音を小さくするためのエフェクトである"De.Es"（ディエッサー）等がある。
【００２５】
タイプ欄２ｃの右側に設けられているグラフ欄２ｄには、ｃｈ欄２ｂで選択されているｃｈにおけるタイプ欄２ｃにおいて選択された"Gate"のパラメータセットの大まかな入出力特性が表示されている。タイプ欄２ｃおよびグラフ欄２ｄの下には、タイプ欄２ｃで選択されたエフェクトのパラメータを編集するための操作子の摘み２ｆが複数設けられており、各摘み２ｆの操作に応じて、パラメータセットの対応するパラメータの値が変更され、グラフ欄２ｄに表示されている入出力特性が変化する。ここで変更される"Gate"のパラメータには、これ以下の音量でゲートを効かせるスレッショルド、アタックタイム、ホールドタイム、ディケイタイム、ゲートする際の減衰量を示すレンジ等が含まれる。また、右上に設けられている"ON"ボタン２eはダイナミクスのオン／オフを切り替えるボタンであり、図示する場合はダイナミクスがオンに切り替えられた状態とされている。このダイナミクスの編集画面２において、"Library"ボタン２ａをクリックすることにより、表示器１６に表示されるダイナミクスのライブラリ画面（その１）３を図７に示す。
【００２６】
図７に示すダイナミクスのライブラリ画面（その１）３は、"Indiv."か"Scene"のシーン番号かを選択するコンボボックス３ｄにおいて"Indiv."が選択された際の画面とされている。コンボボックス３ｄにおいて"indiv."がオペレータにより選択されると、デジタルミキサ１に用意されているComp indiv.ライブラリのパラメータセットから、ダイナミクス系エフェクトのパラメータセットのデータ番号と名称のリストが作成されてリスト欄３ｆに表示される。このリスト欄３ｆにおいて、図示する例では"07"番の"fon"と云う"Comp"タイプのパラメータセットが選択されており、そのパラメータセットの大まかな入出力特性が第２グラフ欄３ｅに表示されている。そして、選択ｃｈ欄３ａには、現在編集対象として選択されている入力ｃｈ１（ich01:Vo 1）」が表示され、その入力ｃｈ１に設定されている"Gate"タイプのパラメータセットの大まかな入出力特性が第１グラフ欄３ｂに表示されている。なお、選択ｃｈ欄３ａに表示されているチャンネルが、リコール先のチャンネルとなる。
【００２７】
ここで、ユーザは第１グラフ欄３ｂに表示されている"Gate"の入出力特性と第２グラフ欄３ｅに表示されている"Comp"の入出力特性とを対比して、入力ｃｈ１のＣＯＭＰ６３の入出力特性を、現在の"Gate"の入出力特性から第２グラフ欄３ｅに表示されている"Comp"の入出力特性に変更したい場合には、"Recall"ボタン３ｇをクリックする。"Recall"ボタン３ｇをクリックすると、選択ｃｈ欄３ａに表示されている入力ｃｈ１のＣＯＭＰ６３を制御するパラメータセットが、"fon"という名称の"Comp"のパラメータセットに変更されるようになる。すなわち、Comp indiv.ライブラリが格納されているライブラリメモリの記憶領域Comp_PS7から"fon"という名称の"Comp"タイプのパラメータセットが読み出されて、カレントメモリにおける入力ｃｈ１のパラメータセットに上書きされるようになる。同時に、第１グラフ欄３ｂに、入力ｃｈ１のＣＯＭＰ６３にリコールされたパラメータセットの大まかな現特性が表示されるようになる。
また、ユーザが"Store"ボタン３ｈをクリックすると、リスト欄３ｆで選択された"fon"と云う名称の"Gate"のパラメータセットが、選択ｃｈ欄３ａに表示されている入力ｃｈ１のＣＯＭＰ６３のパラメータセットで上書きされるようになる。すなわち、カレントメモリにおける入力ｃｈ１のＣＯＭＰ６３のパラメータセットが読み出されて、Comp indiv.ライブラリの記憶領域Comp_PS7の"fon"と云う名称のパラメータセットに上書きされるようになる。同時に、第２グラフ欄３ｅにComp indiv.ライブラリの記憶領域Comp_PS7にストアされたパラメータセットの大まかな入出力特性が表示されるようになる。なお、indiv.ライブラリへのパラメータセットをストアする際には、ユーザは、そのストアするパラメータセットに任意の名称（"fon"や"chou"など）を付与することができる。
【００２８】
次に、コンボボックス３ｄにおいてユーザにより"Scene"のシーン番号が選択された際のダイナミクスのライブラリ画面（その２）４を図８（ａ）に示す。
図８（ａ）では、コンボボックス３ｄにおいてシーン番号２６のシーン名"foo"（26:foo）が指定されており、デジタルミキサ１のシーンメモリ上のシーン番号２６のシーン名"foo"のパラメータセットから、各ｃｈのダイナミクス系エフェクトのパラメータセット（Comp_PS）が抽出される。抽出したパラメータセットにより、当該エフェクトの仮想的なSceneライブラリが作成されて、そのリストがリスト欄３ｆに表示される。このダイナミクスのライブラリ画面（その２）４では、"Store"ボタン３ｈが無効化されてダイナミクスのタイプでフィルタリングしたリストを表示するための"Type filter"ボックス３ｉが有効化されている。"Type filter"ボックス３ｉにおける右端の「▼」をクリックすると図８（ｂ）に示すダイナミクスのタイプリスト３ｊが表示される。このタイプリスト３ｊにおいて、図示する場合は"Gate"が選択されており、リスト欄３ｆには、全入力ｃｈおよび全出力ｃｈのＣＯＭＰ６３のパラメータセットのうち、シーン番号２６のシーンにおいて"Gate"タイプが設定されているパラメータセットのみがフィルタリングされ、その抽出されたパラメータセットに係るｃｈ番号とｃｈ名のリストが作成され、作成されたリストが表示される。このリスト欄３ｆにおいて、図示する例ではｃｈ名"Vol 3"の入力ｃｈ３（i03）における"Gate"のパラメータセットが選択されている。このように、"Type filter"ボックス３ｉによりフィルタタイプを指定しているのは、各シーンの全ｃｈを対象とすると、選択肢が膨大になるからであり、ダイナミクスのタイプを指定することにより、適宜フィルタリングして選択肢を絞るようにしている。なお、"Type filter"ボックス３ｉで"any"を選択した場合は、フィルタリングはなく全ｃｈのＣＯＭＰ６３のパラメータセットがリスト表示される。
リスト欄３ｆで選択されたｃｈ名"Vol 3"の入力ｃｈ３（i03）の"Gate"のパラメータセットの大まかな入出力特性が第２グラフ欄３ｅに表示されている。そして、選択ｃｈ欄３ａには、入力ｃｈ１（ich01:Vo 1）が表示され、その入力ｃｈ１における"Gate"タイプのパラメータセットの大まかな入出力特性が第１グラフ欄３ｂに表示されている。先ほどと同様、選択ｃｈ欄３ａに表示されているチャンネルが、リコール先のチャンネルとなる。
【００２９】
ここで、ユーザは第１グラフ欄３ｂに表示されている"Gate"の現特性と第２グラフ欄３ｅに表示されている"Gate"の入出力特性とを対比して、入力ｃｈ１のＣＯＭＰ６３の入出力特性を、現在の"Gate"の入出力特性から第２グラフ欄３ｅに表示されている入出力特性に変更したい場合は、"Recall"ボタン３ｇをクリックする。"Recall"ボタン３ｇをクリックすると、選択ｃｈ欄３ａにおいて表示されている入力ｃｈ１のＣＯＭＰ６３を制御するパラメータセットが、シーン番号２６のシーン名"foo"のシーンデータにおけるｃｈ名"Vo.3"の入力ｃｈ３（i03:Vo.1）のＣＯＭＰ６３のパラメータセットに変更されるようになる。すなわち、シーンメモリのシーン番号２６のシーンデータにおける入力ｃｈ３のＣＯＭＰ６３のパラメータセットが読み出されて、カレントメモリにおける入力ｃｈ１のＣＯＭＰ６３のパラメータセットに上書きされるようになる。同時に、第１グラフ欄３ｂに入力ｃｈ１のＣＯＭＰ６３にリコールされた"Gate"のパラメータセットの大まかな入出力特性が表示されるようになる。なお、リスト欄３ｆに表示されているSceneライブラリは仮想的なライブラリであって、このSceneライブラリにパラメータセットの実体はなく、パラメータセットの実体は当該シーン番号のシーンデータ中に含まれている。
なお、指定されたSceneライブラリにおけるｃｈの指定では、入力ｃｈだけでなく、出力ｃｈも指定可能とされている。また、"Scene"が選択された際のダイナミクスのライブラリ画面（その２）４では、"Store"ボタンが無効化されて存在しないことから、間違ってリコール元のシーンに上書きすることを防止することができる。
【００３０】
本発明の実施例にかかるデジタルミキサ１において実行される各種処理のフローチャートを以下に説明するが、このフローチャートにおいて使用する変数の表を図９に示す。この表において、変数"SCN"は現在編集対象のｃｈとして選択され、選択ｃｈ欄３aに表示されている選択ｃｈのｃｈ番号を示す変数であり、識別子"dynaID"は処理ブロックの種別としてのダイナミクスを特定する定数であり、変数"SN(dynaID)"と変数"CN(dynaID)"とは、ダイナミクスの仮想的なライブラリからリコールを行う場合の、リコール元のシーン番号とｃｈ番号とを示す変数であり、変数"DN(dynaID)"は、ダイナミクスの専用のライブラリ（すなわち、Comp indiv.ライブラリ）からリコールを行う場合の、リコール元のデータ番号を示す変数であり、変数"FT(dynaID)"は"Type filter"ボックス３iで指定するダイナミクスタイプを示す変数である。処理ブロックの種別を示す識別子としては、"dynaID"以外に、イコライザ（４バンドＰＥＱ６１）を示す"eqID"、センド調整部（６５）を示す"sendID"、内蔵エフェクタ（５７）を示す"effID"などがあり、変数"SN()"、変数"CN()"、変数"DN()"、変数"FT()"はそれらの各種別毎、個別に用意されている。以下では、ダイナミクスの処理ブロックのみに注目して、ライブラリに関連する各種処理のフローチャートの説明を行うので、変数"SN(dynaID)"、変数"CN(dynaID)"、変数"DN(dynaID)"、変数"FT(dynaID)"の"(dynaID)"の部分を省略して、単に、変数"SN"、変数"CN"、変数"DN"、変数"FT"と表記することにする。また、この実施例では、変数"SN"が、"Indiv."か"Scene"かの指定と、"Scene"を指定した場合のシーン番号の指定とを兼ねているが、これを、シーン番号を示す変数"SN’"と"Indiv."か"Scene"かを示すフラグ"ISF"とに置き換えても良い。なお、ここでのリコール先は、同時にストア元でもあり、また、リコール元は、同時にストア先でもある。
【００３１】
本発明の実施例にかかるデジタルミキサ１において実行されるダイナミクスのライブラリ画面を開く指示に応じた処理のフローチャートを図１０に示す。図６に示すダイナミクスの編集画面２において、ユーザが"Library"ボタン２ａをクリックすると、図１０に示すダイナミクスのライブラリ画面を開く指示に応じた処理が開始され、ステップＳ１０にてライブラリ画面が用意されて、表示器１６に表示される。この時点では、ライブラリ画面のウィンドウと、そのウィンドウ中の各表示要素３ａ〜３ｈの枠（フレーム）とが表示されているが、その枠の中は空であり、各情報は未だ表示されていない。次いで、表示されたライブラリ画面の表示要素３ａ〜３ｃが、ステップＳ１１にて、リコール先となる現在の選択ｃｈのダイナミクス（ＣＯＭＰ６３）のパラメータセットに関する表示で更新される。ここでは、選択ｃｈ欄３ａに、現在編集対象として選択されている選択ｃｈのｃｈ番号が表示され、タイプ欄３ｃに、その選択ｃｈのダイナミクスに設定されているタイプのパラメータが表示され、第１グラフ欄３ｂに、その選択ｃｈのダイナミクスに設定されている当該タイプに固有の複数パラメータ（スレッショルドなど）に基づく入出力特性が表示される。さらに、表示されたライブラリ画面の表示要素３ｄ〜３ｈが、ステップＳ１２にて、リコール元に関する表示で更新される。ここでは、前回ライブラリ画面をクローズしたときに、変数"SN"に"indiv."（"0"：indiv.ライブラリ）が設定されていた場合は、表示中のライブラリ画面が図７の表示態様に更新され、変数"SN"に"Scene"（"1"以上：シーン番号）が設定されていた場合は、表示中のライブラリ画面が図８の表示態様に更新される。ステップＳ１２の処理が終了すると、ダイナミクスのライブラリ画面を開く指示に応じて処理は終了する。
なお、以下の説明における「ライブラリ画面」とは、ダイナミクスのライブラリ画面（その１）３あるいはダイナミクスのライブラリ画面（その２）４のいずれでもよいが、その一方を指している。
【００３２】
次に、上記ステップＳ１２で実行されるリコール元に関する表示更新処理のフローチャートを図１３に示す。
上記ステップＳ１２にて図１３に示すリコール元に関する表示更新処理が起動されると、ステップＳ４０にて変数"SN"から"Indiv."か"Scene"のいずれが指定されているか判断される。ここで、変数SNが"0"と判断された場合は、コンボボックス３ｄにおいて"Indiv."が指定されておりステップＳ４１に進む。ステップＳ４１では、"Store"ボタン３ｈが有効化されて表示され、"Type filter"ボックス３ｉは無効化されて表示は省略される。次いで、ステップＳ４２にてデジタルミキサ１に用意されているComp indiv.ライブラリのパラメータセットに基づいて、当該ライブラリのパラメータセットのデータ番号と名称のリストが作成され、作成されたリストがリスト欄３ｆに表示され、リスト欄３ｆにおける変数"DN"が示すデータ番号のパラメータセットが、リコール元のパラメータセットとして選択表示される。
【００３３】
また、変数"SN"が"1"以上と判断された場合は、コンボボックス３ｄにおいて"Scene"が指定されておりステップＳ４３に分岐する。ステップＳ４３では、"Store"ボタン３ｈが無効化されて表示は省略され、"Type filter"ボックス３ｉが有効化されて表示される。次いで、ステップＳ４４にて、シーンメモリの変数"SN"が示すシーン番号のシーンデータ中の、各チャンネルのダイナミクス（ＣＯＭＰ６３）のパラメータセットが参照され、"Type filter"ボックス３ｉで指定されたダイナミクスタイプによりフィルタリングされて、その抽出されたパラメータセットのｃｈ番号とｃｈ名のリストが作成され、作成されたリストがリスト欄３ｆに表示され、リスト欄３ｆにおける変数"CN"が示すｃｈ番号のパラメータセットが、リコール元のパラメータセットとして選択表示される。
ステップＳ４２の処理あるいはステップＳ４４の処理が終了するとステップＳ４５に進み、リコール元として選択されているパラメータセットの入出力特性が第２グラフ欄３ｅに表示される。ここで、リコール元として選択されているパラメータセットとは、変数"SN"が"indiv."（"0"：indiv.ライブラリ）の場合は、Comp indiv.ライブラリの変数"DN"が示すデータ番号のデータセットであり、変数"SN"が"Scene"（"1"以上：シーン番号）の場合は、変数"SN"が示すシーン番号のシーンデータ中の、変数"CN"が示すｃｈ番号のｃｈのダイナミクス（ＣＯＭＰ６３）のデータセットである。ステップＳ４５の処理が終了するとリコール元に関する表示更新処理は終了する。
【００３４】
次に、本発明の実施例にかかるデジタルミキサ１において実行されるリコール元に関する変数値を変更するユーザ操作に応じた処理のフローチャートを１１図に示す。ここでのユーザ操作は、ライブラリ画面３、４のコンボボックス３ｄでの"Indiv."／"Scene"やシーン番号の選択、ライブラリ画面３のリスト欄３ｆでのIndiv.ライブラリのパラメータセットのデータ番号の選択、ライブラリ画面４のリスト欄３ｆでのSceneライブラリのｃｈ番号の選択、ライブラリ画面４の"Type filter"ボックス３ｉでのダイナミクスタイプの選択等である。
表示されているライブラリ画面において、リコール元に関する変数値が変更されるユーザ操作があると図１１に示す変数値を変更するユーザ操作に応じた処理が起動され、ステップＳ２０にて対象となる変数がユーザ操作に応じた値に変更される。すなわち、コンボボックス３ｄでの"Indiv."／"Scene"やシーン番号の選択に応じて変数"SN"の値を変更し、ライブラリ画面３のリスト欄３ｆでのデータ番号の選択に応じて変数"DN"の値を変更し、ライブラリ画面４のリスト欄３ｆでのｃｈ番号の選択に応じて変数"CN"の値を変更し、また、ライブラリ画面４の"Type filter"ボックス３ｉでのダイナミクスタイプの選択に応じて変数"FT"の値を変更する。そして、ステップＳ２１にて、先述した図１０のステップS１２における処理（図１３）と同様の処理を行い、表示されているライブラリ画面の表示要素３ｄ〜３ｈの表示を更新する。ステップＳ２１の処理が終了すると、リコール元に関する変数値を変更するユーザ操作に応じた処理は終了する。なお、ライブラリ画面４のリスト欄３ｆでは、表示されているリスト中のｃｈ番号のみが選択対象であり、表示されていないｃｈ番号を選択することはできない。
【００３５】
次に、"Recall"ボタンの操作に応じた処理のフローチャートを図１２に示す。
図１２に示す"Recall"ボタンの操作に応じた処理は、ライブラリ画面においてユーザが"Recall"ボタン３ｇをクリックした際に起動され、ステップＳ３０にて変数SNから"Indiv."か"Scene"のいずれが指定されているか判断される。この場合、コンボボックス３ｄにおいて"Indiv."が指定されている場合は、シーン番号は指定されないことから変数"SN"は"0"であり、"Scene"が指定された場合はシーン番号が指定されることから変数"SN"は"1"以上の値となる。ここで、変数"SN"が"0"と判断された場合は、コンボボックス３ｄにおいて"Indiv."が指定されておりステップＳ３１に進む。ステップＳ３１では、デジタルミキサ１に用意されている Indiv.ライブラリから、変数"DN"で特定されるパラメータセットが読み出される。変数"DN"は、リスト欄３ｆに表示されているダイナミクス系エフェクトの Indiv.ライブラリにおけるパラメータセットの内のリコール元として選択されたパラメータセットのデータ番号である。
【００３６】
また、変数"SN"が"1"以上と判断された場合は、コンボボックス３ｄにおいて"Scene"が指定されておりステップＳ３２に分岐する。ステップＳ３２では、シーンメモリから変数"SN"が示すシーン番号のシーンデータ中の、変数"CN"が示すｃｈ番号のｃｈのダイナミクス（ＣＯＭＰ６３）のパラメータセットが読み出される。ステップＳ３１の処理あるいはステップＳ３２の処理が終了するとステップＳ３３にて、ステップＳ３１あるいはステップＳ３２の処理により読み出されたパラメータが、カレントメモリの変数"SCN"が示すｃｈ番号のｃｈのダイナミクス（ＣＯＭＰ６３）のパラメータセットに上書きされる。変数"SCN"は現在編集対象として選択されている選択ｃｈのｃｈ番号を示し、そのｃｈ番号は選択ｃｈ欄３ａに表示されている。次いで、カレントメモリの該ダイナミクス（ＣＯＭＰ６３）の、上書き後のパラメータセットの入出力特性が表示されるよう、第１グラフ欄３ｂの表示がステップＳ３４にて更新される。ステップＳ３４の処理が終了すると"Recall"ボタンの操作に応じた処理は終了する。
【００３７】
次に、Storeボタンの操作に応じた処理のフローチャートを図１４に示す。
ダイナミクスのライブラリ画面（その１）３においてユーザにより"Store"ボタン３ｈがクリックされると、図１４に示すStoreボタンの操作に応じた処理が起動され、ステップＳ５０にてカレントメモリから変数"SCN"が示すｃｈ番号のｃｈのダイナミクス（ＣＯＭＰ６３）のパラメータセットが読み出される。変数"SCN"は選択ｃｈのｃｈ番号を示し、そのｃｈ番号は選択ｃｈ欄３ａに表示されている。次いで、ステップＳ５０で読み出された該パラメータセットが、Indiv.ライブラリにおける変数"DN"が示すデータ番号のパラメータセットにステップＳ５１にて上書きされる。次いで、ステップＳ５０で読み出された該パラメータセットに応じて、第１グラフ欄３ｂに表示されているリコール元の現特性の表示がステップＳ５２にて更新される。ステップＳ５２の処理が終了するとStoreボタンの操作に応じた処理は終了する。なお、"Store"ボタンが操作されてからステップＳ５０の処理が行われるまでの間に一時的に開かれるダイアログボックス（図示せず）にて、Comp Indiv.ライブラリにストアするデータセットに対し、ユーザが任意の名称を付与することができるようになっている。
【００３８】
次に、他の例とされるダイナミクスのライブラリ画面（その３）５を図１５に示す。
図１５に示すダイナミクスのライブラリ画面（その３）５では、リスト欄３ｆにシーン番号別にパラメータセットのリストを表示するのをやめて、リスト欄５ｆにシーン番号とチャンネル番号とを表示させてリスト欄５ｆで同時に選択できるようにしている。この場合、コンボボックス５ｄでは"Indiv."か"Scene"かを択一して選択するようにしており、ダイナミクスのライブラリ画面（その３）５は"Scene"が選択された際のダイナミクスのライブラリ画面とされている。図示するリスト欄５ｆには、シーン番号"26"のチャンネル名"Vo 1"の入力ｃｈ１（26_i01: Vo 1）、シーン番号"26"のチャンネル名"Vo 3"の入力ｃｈ３（26_i03: Vo 3）、シーン番号"26"のチャンネル名"MC"の入力ｃｈ９（26_i09: MC）、シーン番号"26"のチャンネル名"Choir 1"の入力ｃｈ１２（26_i12: Choir 1）・・・からなるリストが表示されており、入力ｃｈ３（26_i03: Vo 3）が選択表示されている。ｃｈ欄５ａないしタイプ欄５ｃ、第２グラフ欄５ｅ、"Recall"ボタン５ｇ、"Type filter"ボックス５ｈは、ダイナミクスのライブラリ画面（その２）４のｃｈ欄３ａないしタイプ欄３ｃ、第２グラフ欄３ｅ、"Recall"ボタン３ｇ、"Type filter"ボックス３ｉと同様とされているのでその説明は省略する。このライブラリ画面（その３）５のリスト欄５ｆにおいて、ユーザが、複数のシーンの複数のｃｈのダイナミクスのパラメータセットの中から、リコールしたい１つのパラメータセットを選択することができる。
なお、ダイナミクスのライブラリ画面（その３）５において"Indiv."が選択された場合は、図７に示すダイナミクスのライブラリ画面（その１）３と同様の画面とされるので、その説明は省略するが、"Type filter"ボックス５ｈが無効化されて表示が省略され、それに替えて"Store"ボタンが有効化されて表示されるようになる。
【産業上の利用可能性】
【００３９】
以上説明した本発明の実施例にかかる対象となる音響機器は、デジタルミキサに限らず、マルチトラックレコーダ、複数ｃｈエフェクタ、複数ｃｈアンプ、スピーカプロセッサ、等であってもよい。また、 Indiv.ライブラリやSceneライブラリを開く処理ブロックは、上記で説明したダイナミクスに限らず、各チャンネル内のイコライザ、ディレイや、各チャンネルに挿入することができるエフェクタ、グラフィックイコライザ等の何れでもよい。何れの処理ブロックであっても、同様に、複数の各シーンデータの中に含まれている当該処理ブロックと同種の複数のパラメータセットをリスト化し、ユーザに１つのライブラリとして見せることができる。各チャンネルに挿入できる処理ブロックの場合、リコール元となる各処理ブロックを、その処理ブロックを挿入したチャンネルにより特定するのではなく、同種の処理ブロックに識別子となる通し番号をつけて、その通し番号で特定するのがよい。なお、処理ブロックの挿入場所を示すパラメータは、その処理ブロックのIndiv.ライブラリの記憶対象外であり、それと同様に、Sceneライブラリにも当該パラメータは記憶されない。
【００４０】
以上説明した本発明の実施例では入力チャンネル５３のダイナミクス（ＣＯＭＰ６３）のライブラリについて説明したが、仮想的なライブラリを用意する処理ブロックはダイナミクスに限らない。入力チャンネルのイコライザ（ＰＥＱ６１）、センド調整部（６５）、出力チャンネルのダイナミクス６３、イコライザ６１、８機の各エフェクタ等の何れの１の処理ブロックであってもよい。その場合、各仮想的なライブラリのフィルタリング条件としては、各処理ブロックに応じて異なる。実施例のダイナミクスの場合は、ダイナミクスタイプ（Gate、Duck、Comp、De_Esなど）であったが、イコライザの場合は、最高バンド（又は最低バンド）のタイプ（シェルビング又はバンドパス）、センド調整部の場合は、入力ｃｈに付与されたｃｈ名称に含まれる文字列（"Vo.","MC"など）、エフェクタの場合は、エフェクトのタイプ（リバーブ、エコー、コーラス、フランジャーなど）でフィルタリングするのが好適である。
また、仮想的なライブラリのフィルタリングを１つの条件（ダイナミクスタイプ）で行うようになっていたが、２以上の条件でフィルタリングを行うようにしてもよい。２つ目のフィルタリング条件としては、例えば、各ｃｈの名称に含まれる文字列でのフィルタリングや、ｃｈ番号の範囲でのフィルタリングなどが考えられる。特に、図１５の例では、リスト欄５ｆに表示されるパラメータセット数が多くなりがちなので、２つ目のフィルタリングを行えるようにすることが望ましい。
【符号の説明】
【００４１】
１  デジタルミキサ、２  ダイナミクスの編集画面、２ａ  "Library"ボタン、２ｂ  ｃｈ欄、２ｃ  タイプ欄、２ｄ  グラフ欄、２ｅ  "ON"ボタン、２ｆ  摘み、３  ダイナミクスのライブラリ画面（その１）、３ａ  ｃｈ欄、３ｂ  第１グラフ欄、３ｃ  タイプ欄、３ｄ  コンボボックス、３ｅ  第２グラフ欄、３ｆ  リスト欄、３ｇ  "Recall"ボタン、３ｈ  "Store"ボタン、３ｉ  "Type filter"ボックス、３ｊ  タイプリスト、４  ダイナミクスのライブラリ画面（その２）、５  ダイナミクスのライブラリ画面（その３）、５ａ  ｃｈ欄、５ｂ  第１グラフ欄、５ｃ  タイプ欄、５ｄ  コンボボックス、５ｅ  第２グラフ欄、５ｆ  リスト欄、５ｇ  "Recall"ボタン、５ｈ  "Type filter"ボックス、１０  ＣＰＵ、１１  フラッシュメモリ、１２  ＲＡＭ、１３  その他Ｉ／Ｏ、１４  波形Ｉ／Ｏ、１５  信号処理部、１６  表示器、１７  電動フェーダ、１８  操作子、１９  バス、３０  タッチパネル、３１  ユーザ定義キー、３２ａ  ボタン、３２ｂ  ボタン、３３ａ  ボタン、３３ｂ  ボタン、３３ｃ  ボタン、３３ｄ  ボタン、３４  カーソル移動キー、３５  増減キー、３６  ロータリエンコーダ、３７  エンターキー、４０−１〜４０−３  ｃｈストリップ、４０−９  ＳＴｃｈストリップ、４１ａ  ＳＥＬスイッチ、４１ｂ  オンＳＷ、４１ｃ  フェーダつまみ、４１ｄ  ＣＵＥスイッチ、５０  Ａ入力、５１  Ｄ入力、５２  入力パッチ、５３  入力ｃｈ部、５４  ＭＩＸバス、５５  ＭＩＸ出力ｃｈ部、５６  出力パッチ、５７  内蔵エフェクタ部、５８  Ａ出力、５９  Ｄ出力、６０  ＡＴＴ、６１  ４バンドＰＥＱ、６２  エフェクタ、６３  ＣＯＭＰ、６４  フェーダｃｈオンＳＷ、６５  センド調整部
【図１】
2013110585.tif 000003
【図２】
2013110585.tif 000004
【図３】
2013110585.tif 000005
【図４】
2013110585.tif 000006
【図５】
2013110585.tif 000007
【図６】
2013110585.tif 000008
【図７】
2013110585.tif 000009
【図８】
2013110585.tif 000010
【図９】
2013110585.tif 000011
【図１０】
2013110585.tif 000012
【図１１】
2013110585.tif 000013
【図１２】
2013110585.tif 000014
【図１３】
2013110585.tif 000015
【図１４】
2013110585.tif 000016
【図１５】
2013110585.tif 000017